(57)【特許請求の範囲】
【請求項１】
複数の部材を間隔をあけて回動可能に枢支するねじのためのねじ止め機構であって、
複数の部材のねじ穴を通して差し込まれたねじの、先端部分に螺合するねじ穴を有しているねじ止め片と、
前記ねじ止め片の姿勢を、ねじの中心軸に対しねじ穴の中心軸が一致する姿勢、又は、斜めに交差し、前記ねじのねじ山がねじ穴のめねじの溝に偏当りする姿勢に切り替える姿勢調節部を有している、ことを特徴とするねじ止め機構。
【請求項２】
請求項１に記載のねじ止め機構を用いたはさみであって、
前記複数の部材が、ねじ穴を介在して指掛け部及び刃部をそれぞれ有している、上刃部及び下刃部で、
当該はさみは、下刃部のねじ穴及び上刃部のねじ穴に差し込まれる要ねじを枢軸として上刃部及び下刃部が開閉自在とされており、
前記ねじ止め片は、下刃部のねじ穴から上刃部のねじ穴に向けて差し込まれた要ねじの、前記上刃部のねじ穴を貫通して出る先端部分に螺合する要ねじ穴を有しており、
前記姿勢調節部は、前記ねじ止め片の姿勢を、要ねじの中心軸に対し要ねじ穴の中心軸が一致する姿勢、又は、斜めに交差し、前記要ねじのねじ山が要ねじ穴のめねじの溝に偏当りする姿勢に切り替える、ことを特徴とするはさみ。
【請求項３】
ねじ穴を介在して指掛け部及び刃部をそれぞれ有している、上刃部及び下刃部が、前記ねじ穴に挿入された要ねじを枢軸として開閉自在とされているはさみにおいて、
下刃部のねじ穴から上刃部のねじ穴に向けて差し込まれた要ねじの、前記上刃部のねじ穴を貫通して出る先端部分に螺合する要ねじ穴を有しているねじ止め片と、
前記ねじ止め片の姿勢を、要ねじの中心軸に対し要ねじ穴の中心軸が一致する姿勢、又は、斜めに交差し、前記要ねじのねじ山が要ねじ穴のめねじの溝に偏当りする姿勢に切り替える姿勢調節部を有している、ことを特徴とするはさみ。
【請求項４】
前記姿勢調節部は、前記上刃部に設けられ、前記ねじ止め片を嵌める凹部と、前記ねじ止め片の姿勢を、要ねじの中心軸に対し要ねじ穴の中心軸が一致する姿勢、又は、斜めに交差する姿勢に切り替える切替機構と、で構成されており、
前記凹部は、前記ねじ止め片の姿勢を、要ねじの中心軸に対し要ねじ穴の中心軸が一致する姿勢から、斜めに交差し、前記要ねじのねじ山が要ねじ穴のめねじの溝に偏当りする姿勢に切り替えるように、前記要ねじ穴近傍から遠位に向かう位置に、突起又は段差のある底面を有していることを特徴とする請求項３に記載のはさみ。
【請求項５】
前記姿勢調節部は、前記上刃部に設けられ、前記ねじ止め片を嵌める凹部と、前記ねじ止め片の姿勢を、要ねじの中心軸に対し要ねじ穴の中心軸が一致する姿勢、又は、斜めに交差する姿勢に切り替える切替機構と、で構成されており、
前記ねじ止め片は、当該ねじ止め片の姿勢を、要ねじの中心軸に対し要ねじ穴の中心軸が一致する姿勢から、斜めに交差し、前記要ねじのねじ山が要ねじ穴のめねじの溝に偏当りする姿勢に切り替えるように、突起のある底面、または、要ねじ穴近傍から遠位になるに従って前記凹部の底面からの距離が離れる、段差若しくは傾斜のある底面を有していることを特徴とする請求項３に記載のはさみ。
【請求項６】
前記切替機構は、前記ねじ止め片に、前記要ねじ穴から予め定めた距離に設けられている調節ねじ用の貫通孔と、前記上刃部に設けられている調節ねじ穴と、前記ねじ止め片の調節ねじ用の貫通孔を通り、前記上刃部の調節ねじ穴に螺合し、前記ねじ止め片を、要ねじの中心軸に対し要ねじ穴の中心軸が一致する姿勢から、斜めに交差し、前記要ねじのねじ山が要ねじ穴のめねじの溝に偏当りする姿勢に変化させる調節ねじと、で構成されている請求項４又は請求項５に記載のはさみ。
【請求項７】
前記切替機構は、前記凹部の内側に向けて設けられ、ねじ止め片の姿勢を、要ねじの中心軸に対し要ねじ穴の中心軸が一致する姿勢、又は、斜めに交差し、前記要ねじのねじ山が要ねじ穴のめねじの溝に偏当りする姿勢に、２ステートスイッチ式切り替え可能にする突起を備えている、請求項４又は請求項５に記載のはさみ。
【発明の詳細な説明】
【技術分野】
【０００１】
本発明は、複数の部材を間隔をあけて回動可能に枢支するねじのためのねじ止め機構と、これを用いたはさみ、特に理美容はさみに好適なねじ止め機構に関する。
【背景技術】
【０００２】
従来、種々の洋はさみが使われている。洋はさみは、ねじ穴を介在して指掛け部及び刃部をそれぞれ有している上刃部及び下刃部が、前記ねじ穴に挿入された要ねじを枢軸として開閉自在とされている。理美容はさみは、単位時間当たりの開閉の回数が多く、ユーザの疲労軽減のため、刃の開閉の軽さと、切れ味の両立が求められる。このため、要ねじは、上刃部及び下刃部の間隔が無くなってしまう程強く締めたりせず、間隔を開けて上刃部及び下刃部が回動可能な程度に締める。刃の間隔は、刃の開閉が、軽い力加減で行え、同時に、刃がしっかりと擦れ交わるように、繊細な微調節が施される。
【０００３】
例えば、特許文献１には、刃の開閉を行う枢軸となる要ねじの部分にベアリングを用いる理美容はさみが開示されている。
【先行技術文献】
【特許文献】
【０００４】
【特許文献１】特開２０００−３１７１５５号公報
【発明の概要】
【発明が解決しようとする課題】
【０００５】
理美容はさみは、上刃部及び下刃部の間隔の繊細な微調節を実現するため、プレス機械を用いて行うカシメ留めを使用せず、ねじ穴に挿入する要ねじと、これに対応するねじ穴（以下、要ねじ穴という）をもつ部品とを用いて前記微調節を実現している。
【０００６】
微調節後は、要ねじが緩んだり、逆に締まったりしないのが望ましい。一方で、工場出荷後、ユーザの好みによって、さらに微調節が求められる場合がある。既知のねじのゆるみ止め技術は、一度締めたねじが２度と緩まないようにするためのもので、ユーザが簡易に再調節可能な技術は無かった。
【０００７】
本発明は、上記従来の課題を解決するためになされたものであり、複数の部材を間隔をあけて回動可能に枢支するねじのため、ゆるみ止め機能を有し、同時に簡易に再調節可能なねじ止め機構、このねじ止め機構を用いたはさみを提供することを目的とする。
【課題を解決するための手段】
【０００８】
上記目的を達成するために本発明は、複数の部材を間隔をあけて回動可能に枢支するねじのためのねじ止め機構であって、複数の部材のねじ穴を通して差し込まれたねじの、先端部分に螺合するねじ穴を有しているねじ止め片と、前記ねじ止め片の姿勢を、ねじの中心軸に対しねじ穴の中心軸が一致する姿勢、又は、斜めに交差し、前記ねじのねじ山がねじ穴のめねじの溝に偏当りする姿勢に切り替える姿勢調節部を有している、ことを特徴とする。
【０００９】
また、本発明のはさみは、前記ねじ止め機構を用いたはさみであって、前記複数の部材が、ねじ穴を介在して指掛け部及び刃部をそれぞれ有している、上刃部及び下刃部で、当該はさみは、下刃部のねじ穴及び上刃部のねじ穴に差し込まれる要ねじを枢軸として上刃部及び下刃部が開閉自在とされており、前記ねじ止め片は、下刃部のねじ穴から上刃部のねじ穴に向けて差し込まれた要ねじの、前記上刃部のねじ穴を貫通して出る先端部分に螺合する要ねじ穴を有しており、前記姿勢調節部は、前記ねじ止め片の姿勢を、要ねじの中心軸に対し要ねじ穴の中心軸が一致する姿勢、又は、斜めに交差し、前記要ねじのねじ山が要ねじ穴のめねじの溝に偏当りする姿勢に切り替える、ことを特徴とする。
【００１０】
また、本発明は、ねじ穴を介在して指掛け部及び刃部をそれぞれ有している、上刃部及び下刃部が、前記ねじ穴に挿入された要ねじを枢軸として開閉自在とされているはさみにおいて、下刃部のねじ穴から上刃部のねじ穴に向けて差し込まれた要ねじの、前記上刃部のねじ穴を貫通して出る先端部分に螺合する要ねじ穴を有しているねじ止め片と、前記ねじ止め片の姿勢を、要ねじの中心軸に対し要ねじ穴の中心軸が一致する姿勢、又は、斜めに交差し、前記要ねじのねじ山が要ねじ穴のめねじの溝に偏当りする姿勢に切り替える姿勢調節部を有している、ことを特徴とする。
【００１１】
前記姿勢調節部は、前記上刃部に設けられ、前記ねじ止め片を嵌める凹部と、前記ねじ止め片の姿勢を、要ねじの中心軸に対し要ねじ穴の中心軸が一致する姿勢、又は、斜めに交差する姿勢に切り替える切替機構と、で構成されており、前記凹部は、前記ねじ止め片の姿勢を、要ねじの中心軸に対し要ねじ穴の中心軸が一致する姿勢から、斜めに交差し、前記要ねじのねじ山が要ねじ穴のめねじの溝に偏当りする姿勢に切り替えるように、前記要ねじ穴近傍から遠位に向かう位置に、突起又は段差のある底面を有していることが、好ましい。
【００１２】
または、前記姿勢調節部は、前記上刃部に設けられ、前記ねじ止め片を嵌める凹部と、前記ねじ止め片の姿勢を、要ねじの中心軸に対し要ねじ穴の中心軸が一致する姿勢、又は、斜めに交差する姿勢に切り替える切替機構と、で構成されており、前記ねじ止め片は、当該ねじ止め片の姿勢を、要ねじの中心軸に対し要ねじ穴の中心軸が一致する姿勢から、斜めに交差し、前記要ねじのねじ山が要ねじ穴のめねじの溝に偏当りする姿勢に切り替えるように、突起のある底面、または、要ねじ穴近傍から遠位になるに従って前記凹部の底面からの距離が離れる、段差若しくは傾斜のある底面を有していることが、好ましい。
【００１３】
前記何れかのはさみにおいて、前記切替機構は、前記ねじ止め片に、前記要ねじ穴から予め定めた距離に設けられている調節ねじ用の貫通孔と、前記上刃部に設けられている調節ねじ穴と、前記ねじ止め片の調節ねじ用の貫通孔を通り、前記上刃部の調節ねじ穴に螺合し、前記ねじ止め片を、要ねじの中心軸に対し要ねじ穴の中心軸が一致する姿勢から、斜めに交差し、前記要ねじのねじ山が要ねじ穴のめねじの溝に偏当りする姿勢に変化させる調節ねじと、で構成されていることが、好ましい。
【００１４】
また、前記切替機構は、前記凹部の内側に向けて設けられ、ねじ止め片の姿勢を、要ねじの中心軸に対し要ねじ穴の中心軸が一致する姿勢、又は、斜めに交差し、前記要ねじのねじ山が要ねじ穴のめねじの溝に偏当りする姿勢に、２ステートスイッチ式切り替え可能にする突起を備えていることが、好ましい。
【発明の効果】
【００１５】
本発明のねじ止め機構、これを用いたはさみは、ねじのゆるみ止め機能を有し、同時に、姿勢調節部によってねじ止め片の姿勢を変えるだけで、簡易にねじの締め具合を再調節することができる。
【図面の簡単な説明】
【００１６】
【図１】本発明の実施の形態１に係る理美容はさみの枢軸部分の分解斜視図。
【図２】同理美容はさみの正面図
【図３】同理美容はさみの背面図
【図４】図２に示した理美容はさみにおいて、点線で囲んだ枢軸部分の詳細な構成を示す部分断面図。
【図５】（ａ）は実施の形態１に係る理美容はさみの要ねじ調節時の、枢軸部分の断面図、（ｂ）は枢軸部分の斜視図。
【図６】（ａ）は要ねじ調節後、ねじ止め片の姿勢を切り替えるため調節ねじを締めた状態の枢軸部分を示す断面図、（ｂ）は枢軸部分の斜視図。
【図７】（ａ）は、変形例に係るねじ止め片を使用する場合の要ねじ調節時の、枢軸部分の断面図、（ｂ）は要ねじ調節後、ねじ止め片の姿勢を切り替えるため調節ねじを締めた状態の枢軸部分を示す断面図。
【図８】（ａ）は、別の変形例に係るねじ止め片を使用する場合の要ねじ調節時の、枢軸部分の断面図、（ｂ）は要ねじ調節後、ねじ止め片の姿勢を切り替えるため調節ねじを締めた状態の枢軸部分を示す断面図。
【図９】実施の形態２に係る理美容はさみの枢軸部分の詳細な構成を示す部分断面図。
【図１０】（ａ）は実施の形態２に係る理美容はさみの要ねじ調節時の、枢軸部分の断面図、（ｂ）はその斜視図。
【図１１】（ａ）は要ねじ調節後、ねじ止め片の姿勢を切り替えるため調節ねじを締めた状態の、枢軸部分を示す断面図、（ｂ）はその斜視図。
【図１２】（ａ）は実施の形態２に係る理美容はさみのねじ止め片の姿勢の切替機構としてクリップ形式を用いる場合の、枢軸部分の断面図、（ｂ）はねじ止め片の姿勢を傾けた状態の枢軸部分を示す断面図。
【図１３】実施の形態２に係る理美容はさみの姿勢調節部に、変形例に係る凹部を有している場合の、枢軸部分の断面図、（ｂ）はねじ止め片の姿勢を傾けた状態の枢軸部分を示す断面図。
【発明を実施するための形態】
【００１７】
本発明に係るねじ止め機構は、複数の部材を間隔をあけて回動可能に枢支するねじのためのねじ止め機構で、その先端部分に、螺合するねじ穴を有しているねじ止め片と、このねじ止め片のねじ穴の中心軸を、ねじの中心軸に一致させる姿勢と、斜めに交差し、ねじのねじ山をねじ穴のめねじの溝に偏当りさせる姿勢に切り替える姿勢調節部を有していることを特徴とする。より詳しくは、当該ねじ止め機構を備え、ねじ穴を介在して指掛け部及び刃部をそれぞれ有している、上刃部及び下刃部が、ねじ穴に挿入された要ねじを枢軸として開閉自在とされているはさみにおいて、下刃部のねじ穴から上刃部のねじ穴に向けて差し込まれた要ねじの、上刃部のねじ穴から出てくる先端部分に、螺合する要ねじ穴を有しているねじ止め片と、このねじ止め片の要ねじ穴の中心軸を、要ねじの中心軸に一致させる姿勢と、斜めに交差し、要ねじのねじ山を要ねじ穴のめねじの溝に偏当りさせる姿勢に切り替える姿勢調節部を有していることを特徴とする。当該構成を採用することで、前記一致させる姿勢において、複数の部材、はさみの場合、上刃部及び下刃部の微妙な間隔の調節を行った後に、前記交差させる姿勢において、所望しない要ねじの回動を止めることができる。この場合、ねじ止め片の姿勢を前記一致させる姿勢に戻せば、ユーザごとに異なる使用感の微調節のため、要ねじを回動しやすい状態にできる。
【００１８】
ねじ止め機構を備えた実施の形態１に係るはさみ１について、図を参照しつつ説明する。図１は、はさみ１の枢軸部分を含む構成部品の分解斜視図である。はさみ１は、ねじ穴２ｂを介して指掛け部２ａ及び刃部２ｃを有している上刃部２と、ねじ穴３ｂを介して指掛け部３ａ及び刃部３ｃを有している下刃部３と、要ねじ４と、ねじ止め片５と、調節ねじ６と、で構成されている。
【００１９】
ねじ止め片５は、上刃部２のねじ穴２ｂを貫通して突出した要ねじ４の先端部分４ａに螺合するめねじの溝を有している要ねじ穴５ａと、調節ねじ６を通すだけの、ねじ溝の無い貫通孔５ｂと、を有している。
【００２０】
上刃部２は、ねじ止め片５を嵌め、位置を定める凹部２ｄを有している。凹部２ｄの調節ねじ６側には、調節ねじ６用の調節ねじ穴２ｅが設けられている。
【００２１】
要ねじ４は、下刃部３のねじ穴３ｂから上刃部２のねじ穴２ｂに向けて挿入され、ねじ穴２ｂを貫通して突出した先端部分４ａは、その中心軸５０が、ねじ止め片５の要ねじ穴５ａの中心軸５１に一致した状態で螺合される。
【００２２】
ねじ止め機構は、上刃部２及び下刃部３の２つの部材を、要ねじ４を枢軸として、間隔を開けて回動可能に枢支する機構で、ねじ止め片５と、このねじ止め片５の姿勢を、要ねじ４の中心軸５０に対しねじ穴５ａの中心軸５１が一致する姿勢、又は、斜めに交差し、要ねじ４のねじ山がねじ穴５ａのめねじの溝に偏当りする姿勢に切り替える姿勢調節部を有していることを特徴とする。
【００２３】
図２は、はさみ１の正面図であり、図３は背面図である。はさみ１の正面図に点線で囲んで表す枢軸部分１００には、ねじ止め片５の姿勢を、要ねじ４の中心軸５０（図１を参照）に対し要ねじ穴５ａの中心軸５１（図１を参照）が一致する姿勢（以下、一致姿勢という）、又は、斜めに交差し、要ねじ４のねじ山が要ねじ穴５ａの目ねじの溝に偏当りする姿勢（以下、傾斜姿勢という）に切り替える姿勢調節部が設けられている。
【００２４】
姿勢調節部とは、ねじ止め片５の底面、又は、このねじ止め片５を嵌め、位置決めする凹部２ｄの底面に、傾斜面、段差、又は突起を設けることによって、ねじ止め片５を、“２つの状態に傾くがたつき”のある状態にし、調節ねじ６又はねじ止め片を係止する、凹部２ｄ内側面に設けられた突起（図１２に示す突起２２ｃを参照）によって、２ステートスイッチのように、一致姿勢と傾斜姿勢の間を交互に繰り返し切り替え設定できるように構成した部分をいう。姿勢調節部において、ねじ止め片５の姿勢を、一致姿勢から傾斜姿勢に切り替える部分を、以下、切替機構という。
【００２５】
以下、姿勢調節部の具体的な構成について、幾つかの実施例及びその変形例を示し、説明する。なお、矩形領域１００以外の部分は、既知のはさみと同様で、ここでの説明は省く。
【００２６】
実施の形態１に係るはさみ１、その変形例に係るはさみは、姿勢調節部として、ねじ止め片５の姿勢を、一致姿勢から傾斜姿勢に切り替えるように、要ねじ穴５ａ近傍から遠位に向かう位置に、上刃部２に設ける凹部２ｄと対面する側に突起、傾斜又は段差のある底面を有している。また、切替機構として、ねじ止め片５の姿勢を変える調節ねじ６を備えている。
【００２７】
図４は、矩形領域１００内にある姿勢調節部の分解斜視図で、はさみ１のねじ止め片５は、瓢箪型の部材で、要ねじ穴５ａは、おねじの要ねじ４に精度よく合う、ねじ山の外径、内径、ピッチのめねじの溝が設けられている。貫通孔５ｂは、調節ねじ６を通すだけの孔で、ねじ溝は無い。ねじ止め片５の要ねじ穴５ａ近傍は、均一な厚みＷ１になっている。凹部２ｄの深さもW１に設定されている。これに比して、貫通孔５ｂ近傍は、穴５ａ近傍から遠位になるにつれて、凹部２ｄの平らな底面からの距離が離れるように傾けられた傾斜面が設けられており、端の部分の厚みは要ねじ穴５ａ近傍に比べて薄いＷ２（＜Ｗ１）になっている。要ねじ４は、下刃部３の軸穴３ｂ、上刃部２の軸穴２ｂを通り、その先端４ａの中心軸５０が、要ねじ穴５ａの中心軸５１に一致する姿勢（一致姿勢）で取り付けられる。
【００２８】
図５（ａ）（ｂ）に示すように、要ねじ４を回動して、上刃部２及び下刃部３の間隔を調節する際、ねじ止め片５は、一致姿勢に保持される。一致姿勢にすることによって、要ねじ４のねじ山が、要ねじ穴５ａのめねじの溝に偏当りすることを無くし、要ねじ４をスムーズに回動できる。この際、調節ねじ６を挿入する側のねじ止め片５と凹部２ｄの底面との間は、Ｗ３（Ｗ１−Ｗ２の差の分）だけ確保されている。
【００２９】
要ねじ４の調節完了後、調節ねじ６を締め、ねじ止め片５を傾けて傾斜姿勢にする。図６（ａ）（ｂ）に示すように、調節ねじ６を締めることによってねじ止め片５が矢印７ａ、７ｂの方向に傾く。要ねじ穴５ａの中心軸５１は、要ねじ４の中心軸５０に対して傾いた状態となり、要ねじ４のねじ山が、要ねじ穴５ａのめねじの溝に偏当りし、要ねじ４のゆるみ止めを行っている状態になる。要ねじ４に対し、要ねじ穴５ａに刻まれるめねじの溝の寸法、即ち、ねじ山の外径、内径、ピッチは、調節ねじ６を締めることによって、ねじ止め片５を傾けることのできる最大角度よりも、小さな角度の時に要ねじ４のねじ山が、要ねじ穴５ａのめねじの溝に偏当りし、ゆるみ止め機能を発揮するように、要ねじ４と略同じ寸法に設定する。
【００３０】
上記構成を採用することによって、はさみ１は、要ねじ４のゆるみ止め機能を有しながらも、姿勢調節部によってねじ止め片５の姿勢を変えるだけで、要ねじ４の締め具合を再調節することができる。例えば、要ねじ４、要ねじ穴５ａの一方又は両方に、ゆるみ止め金具を食い込ませ、不可逆的変形させることによって、ゆるみ止め機能を発揮させるような構成の場合、再調節後、ゆるみ止めのために、以前よりも強力な力で要ねじを締める必要があるが、本発明のはさみ１は、構成部品を傷つけることなく繰り返し使用可能であるので、再調節を繰り返し行っても長期にわたり使用することができる。
【００３１】
図７は、実施の形態１のはさみ１の変形例に係るはさみの構成を示す。詳しくは、ねじ止め片５の変形例に係るねじ止め片８を用いる場合について示す。ねじ止め片８において、ねじ止め片５と同一又は同等の構成物には同じ参照番号を付して示す。図７（ａ）は調節ねじ６を締める前の一致姿勢の状態、（ｂ）は調節ねじ６を締めた傾斜姿勢の状態を示す。ねじ止め片８は、要ねじ穴５ａ近傍の厚みをＷ１、調節ねじ６用の貫通孔５ｂ近傍の厚みをＷ２（＜Ｗ１）となるように、凹部４ｄに対面する側の面、即ち底面に段差を設けた構造を有する。２つのねじ穴の構成、ねじ止め片としての機能は、ねじ止め片５と同様である。
【００３２】
図８は、実施の形態１のはさみ１の別の変形例に係るはさみの構成を示す。詳しくは、ねじ止め片５の別の変形例に係るねじ止め片９を用いる場合について示す。ねじ止め片９において、ねじ止め片５と同一又は同等の構成物には同じ参照番号を付して示す。図８（ａ）は調節ねじ６を締める前の一致姿勢の状態、（ｂ）は調節ねじ６を締めた傾斜姿勢の状態を示す。ねじ止め片９は、厚みがＷ２の薄板で、要ねじ穴５ａと調節ねじ用の貫通孔５ｂとの境界部分に厚さＷ１（＞Ｗ２）で、凹部４ｄ側に突出した突起９ａを有している。２つのねじ穴の構成、ねじ止め片としての機能はねじ止め片５と同様である。
【００３３】
実施の形態２に係るはさみ２０、その変形例に係るはさみは、姿勢調節部として、ねじ止め片の姿勢を、一致姿勢から傾斜姿勢に切り替えるように、ねじ止め片を嵌め、位置を定める凹部の底面に、突起、または、要ねじ穴近傍から遠位になるに従って深くなる段差のある面若しくは傾斜面を有している。更に、ねじ止め片の姿勢を、一致姿勢から傾斜姿勢に切り替える切替機構として、実施の形態１に係るはさみ１と同様に、調節ねじ６を用いるものに加え、又はその調節ねじ６に代えて、凹部の上部開口部分に内側に向けて設けられており、ねじ止め片の姿勢を２ステートスイッチのように切り替え可能にする突起を有する変形例を示す。
【００３４】
図９は、実施の形態２に係るはさみ２０の枢軸部分の構成を示す部分断面図である。実施の形態１に係るはさみ１と同一又は同等の構成物には同一の参照番号を付して表し、重複した説明は省略する。はさみ２０は、はさみ１の上刃部２の代わりに、凹部の形状が異なる上刃部２１を用いる。また、ねじ止め片５の代わりに、均一な厚さＷ１のねじ止め片１０を用いる。上刃部２１は、ねじ止め片１０を嵌め、位置を定める凹部２１ａを有している。凹部２１ａの底には、調節ねじ６用の調節ねじ穴２１ｂが設けられている。凹部２１ａの底面は、ねじ止め片１０の要ねじ穴５ａ近傍を嵌める部分は深さＷ１となっており、調節ねじ６用の貫通孔５ｂ近傍を嵌める部分は段差が設けられており、深さＷ４（＞Ｗ１）となっている。
【００３５】
図１０（ａ）（ｂ）に示すように、要ねじ４を回動して、上刃部２１及び下刃部３の間隔を調節する際は、ねじ止め片１０は、当該要ねじ４の中心軸５０に要ねじ穴５ａの中心軸５１が一致する向きに保持される。この姿勢にすることによって、要ねじ４のねじ山が、要ねじ穴５ａのねじ溝に偏当りせず、要ねじ４をスムーズに回動することができる。この際、調節ねじ６を挿入する側のねじ止め片１０と凹部２１ａの底面との間は、Ｗ５（略Ｗ４−Ｗ１の差の分）だけ確保されている。
【００３６】
要ねじ４の調節完了後、調節ねじ６を締め、ねじ止め片１０を傾ける。図１１（ａ）（ｂ）に示すように、調節ねじ６を締めることによってねじ止め片１０が矢印７ａ、７ｂの方向に傾く。要ねじ穴５ａの中心軸５１は、要ねじ４の中心軸５０に対し傾いた状態となり、要ねじ４のねじ山に対し、要ねじ穴５ａのめねじの溝が偏当りし、要ねじ４のゆるみ止めを行っている状態になる。要ねじ４のねじ山に対し、要ねじ穴５ａに刻まれるめねじの溝の寸法、即ちねじ山の外径、内径、ピッチの寸法は、調節ねじ６を締めることによって、ねじ止め片１０を傾けることのできる最大角度よりも、小さな角度の時に要ねじ４のねじ山が、要ねじ穴５ａのめねじの溝に偏当りし、ゆるみ止め機能を発揮するように、要ねじ４と略同じ寸法にする。
【００３７】
図１２（ａ）（ｂ）は、実施の形態２に係るはさみ２０の、前記上刃部２１の変形例、詳しくは、凹部の変形例を有する上刃部２２を用いるはさみを示す。上刃部２２以外の構成は、はさみ２０と同じで、重複した説明は省く。上刃部２２は、ねじ止め片１０を嵌め、位置を定める凹部２２ａを有する。この凹部２２ａは、調整ねじ６を差し込む側に調整ねじ用の調節ねじ穴２２ｂを有している。
【００３８】
また、凹部２２ａは、調節ねじ穴２２ｂのある側の内壁面上部に、突起２２ｃを有している。凹部２２ａの深さは、凹部２１ａと同一である。突起２２ｃは、ねじ止め片１０の姿勢を、図１２（ａ）に示す一致姿勢から、図１２（ｂ）に示す傾斜姿勢に２ステートスイッチ式切り替え動作させる働きを持つ。上刃部２２を用いるはさみは、この機能によって、調節ねじ６でねじ止め片１０を固定する前に、ねじ止め片１０を斜めにしときに生じる上刃部２２及び下刃部３の間隔の僅かな変化に基づく切れ味の変化を確認し、その後、ねじ止め片１０を再びねじ穴５ａが要ねじ４と直交する姿勢に直し、再度微調節を行うという作業を、比較的迅速に繰り返し行うことを実現する。
【００３９】
なお、突起２２ｃの突起部分のサイズを、通常のはさみの使用環境下で、ねじ止め片１０の姿勢を傾斜姿勢に堅く保持でき、同時に、要ねじ４近傍を押さえることによって一致姿勢に復帰可能な値にすれば、調節用ねじ６と、上刃部２２の調節ねじ６用の穴２２ｂを省略するすることができる。この場合、調節ねじ６、ねじ穴２２ｂを作る工程が削除でき、コスト軽減が可能になる。
【００４０】
図１３（ａ）（ｂ）は、前記上刃部２１の変形例、詳しくは、凹部の変形例を有する上刃部２３を用いるはさみを示す。上刃部２３以外の構成は、はさみ２０と同じで、重複した説明は省く。上刃部２３は、ねじ止め片１０を嵌め、位置を定める凹部２３ａを有している。凹部２３ａの深さはＷ４で、ねじ止め片５の２つのねじ穴の略中央位置、即ち、要ねじ用の穴５ａと調節用ねじのための貫通孔５ｂとを挟む中間位置に、上方に突出する突起２３ｂ（高さＷ５）を備えている。調節用ねじ６を締めることによって、図１３（ａ）に示す一致姿勢から、図１３（ｂ）に示す傾斜姿勢に変えることができる。
【００４１】
以上説明したように、本発明のはさみは、ねじ止め片の要ねじ用の穴を、一致姿勢と、傾斜姿勢との間で、任意に切り替え可能な姿勢調節部を有しており、この姿勢調節部によって、要ねじ４のゆるみ止め機能を有効又は無効にすることができる。
【００４２】
なお、本発明は、上記各種実施形態の構成に限られず、発明の趣旨を変更しない範囲で種々の変形が可能である。例えば、ゆるみ止め片５、８、９、１０を嵌め、位置を定める凹部の内、特に、要ねじ穴５ａ近傍は、ゆるみ止め片を手で位置決めしながら調節する場合には、省略することが可能である。この場合、ゆるみ止め片５、８、９、１０の調節ねじ６用の貫通孔５ｂ近傍のみに凹部を設ければよい。
【００４３】
姿勢調節部は、一致姿勢から傾斜姿勢に切り替えれるように、ねじ止め片５、８、９の側に、斜めに傾斜した底面、段差面若しくは突起を設ける実施の形態１及びその変形例、または、ねじ止め片１０を嵌め、位置を定める凹部側に、段差面若しくは上方に突出する突起を設ける実施の形態２及びその変形例を示したが、これらを種々組み合わせて用いてもよい。例えば、ねじ止め片の底面及び凹部の、調節ねじ６側に、両方に互いの距離が離れる向きに段差を設けても良い。具体的には、図７に示したねじ止め片８又は図８に示したねじ止め片９と、図９、図１０に示した上刃部２１との組み合わせを用いても良い。この場合、より大きな角度でねじ止め片を傾けることができる。例えば製造誤差によって、要ねじに望ましくないがたつきの有る場合でも、ねじ止め片を大きく傾けることで、所望のゆるみ止め性能を発揮させることができる。
【００４４】
なお、調節ねじ６は、その性質上、一般の止めねじのように、きつく締められないが、例えば想定外の高周波数の振動に対し、所望しない回転を抑制するため、そのピッチは細かなものを採用し、及び／又は、必要な時には回転できるが、使用時は回転しにくくする程度の高粘度のグリスを塗布するのが好ましい。
【００４５】
また、ねじ止め片５、８、９、１０に設ける要ねじ穴５ａの中心軸は、上記説明したように、ねじ止め片５、８、９、１０が水平状態にあるときに、一致姿勢となるように設計されているが、調節ねじ６によってねじ止め片５を傾けた状態にしたときに一致姿勢となるようにしても良い。この場合、ねじ止め片５の貫通孔５ｂにめねじの溝を設け、上刃部の凹部に設ける調整ねじ穴のねじ溝を無くす。当該構成を採用することによって、ねじ止め片５を斜めに傾けた状態の時が一致姿勢となり、調節ねじ６を締めて貫通孔５ｂの下側から出るねじの軸の長さを長くし、ねじ止め片５を水平状態にした時に傾斜姿勢となる。
【００４６】
また、複数の部材を間隔をあけて回動可能に枢支するねじのねじ止め機構として、理美容はさみの場合について具体的に説明した。ねじ止め機構を用いる際の部材の数は、上刃部及び下刃部の２つに限らず、例えば、その間にワッシャ―等の部品が介在することを含め、本発明のねじ止め機構は、複数の部材を間隔を開けて回動可能に枢支する場合に用いることができる。
【産業上の利用可能性】
【００４７】
本発明のねじ止め機構は、単位時間あたりに刃の開閉回数の多い理美容はさみに好適な技術であるが、種々のはさみに使用することができる。
【符号の説明】
【００４８】
１          はさみ
２、２１、２２、２３  上刃部
２ａ、３ａ  持ち手部
２ｂ、３ｂ  ねじ穴
２ｃ、３ｃ  刃部
２ｄ        凹部
２ｅ        調節ねじ穴
３          下刃部
４          要ねじ
５、８、９、１０  ねじ止め片
５ａ        要ねじ穴
５ｂ        調節ねじ用の貫通孔
６          調節用ねじ
５０        要ねじの中心軸
５１        要ねじ穴の中心軸
【要約】
【課題】  再調節可能なゆるみ止め機能を有するねじ止め機構とこれを用いたはさみを提供する。
【解決手段】  本発明のねじ止め機構は、複数の部材（２、３）を間隔をあけて回動可能に枢支するねじ（４）のためのねじ止め機構であって、複数の部材のねじ穴を通して差し込まれたねじの、先端部分（４ａ）に螺合するねじ穴（５ａ）を有しているねじ止め片（５）と、前記ねじ止め片の姿勢を、ねじの中心軸（５０）に対しねじ穴の中心軸（５１）が一致する姿勢、又は、斜めに交差し、前記ねじのねじ山がねじ穴のめねじの溝に偏当りする姿勢に切り替える姿勢調節部を有している、ことを特徴とする。当該構成を採用することによって、要ねじ（４）のゆるみ止め及び簡易な再調節を可能になる。
【選択図】図１【図１】
0006740502.tif 000002
【図２】
0006740502.tif 000003
【図３】
0006740502.tif 000004
【図４】
0006740502.tif 000005
【図５】
0006740502.tif 000006
【図６】
0006740502.tif 000007
【図７】
0006740502.tif 000008
【図８】
0006740502.tif 000009
【図９】
0006740502.tif 000010
【図１０】
0006740502.tif 000011
【図１１】
0006740502.tif 000012
【図１２】
0006740502.tif 000013
【図１３】
0006740502.tif 000014